(57)【要約】【課題】  小型化を狙ったデジタルカメラ、ＡＰＳカメラなどにおいて、撮影用のシャッターボタンと撮影倍率を変化させるズームボタンが、兼用ボタンとなっており、ボタンの配置の自由度を増し、また操作性の向上を狙う。【課題】  デジタルカメラ、ＡＰＳカメラ、３５ｍｍカメラ、ビデオカメラ等において、撮影倍率を可変可能な撮影光学系を有し、前記撮影光学系の倍率を調整するためのズーム操作部材（ズームボタン）と、前記カメラ部の撮影開始（または停止）させるための部材（シャッターボタン）を有し、それぞれが一体となっていて、兼用されていることを特徴とする。前記一体型ボタンにおいて、倍率調整時は、シャッター動作開始を出来ないように制御することを特徴とする。【選択図】        図１
2005227326.tif 000002
【特許請求の範囲】
【請求項１】
デジタルカメラ、ＡＰＳカメラ、３５ｍｍカメラ、ビデオカメラ等において、撮影倍率を可変可能な撮影光学系を有し、前記撮影光学系の倍率を調整するためのズーム操作部材（ズームボタン）と、前記カメラ部の撮影開始（または停止）させるための部材（シャッターボタン）を有し、それぞれが一体となっていて、兼用されていることを特徴とするカメラ。
【請求項２】
カメラ本体上面、あるいは背面、あるいはその他の面に取り付けられたスライド移動するズーム操作部材を有し、その操作部材内に撮影開始（または停止）させるための部材を有する事を特徴とする請求項１記載のカメラ。
【請求項３】
カメラ本体上面、あるいは背面、あるいはその他の面に取り付けられ、軸を中心に回転可能に移動するズーム操作部材を有し、その操作部材内に撮影開始（または停止）させるための部材を有する事を特徴とする請求項１記載のカメラ。
【請求項４】
カメラ本体上面、あるいは背面、あるいはその他の面に取り付けられた上下方向にシーソー運動可能に回動するズーム操作部材を有し、その操作部材内に撮影開始（または停止）させるための部材を有する事を特徴とする請求項１記載のカメラ。
【請求項５】
前記一体型ボタンにおいて、倍率調整時は、シャッター動作開始を出来ないように制御することを特徴とする請求項１記載のカメラ。
【発明の詳細な説明】
【技術分野】
【０００１】
本発明は、デジタルカメラ、ＡＰＳカメラ、３５ｍｍカメラ、ビデオカメラ等、シャッターボタンとズームボタンを有するカメラに関するものである。
【背景技術】
【０００２】
近年、カメラ、特にデジタルカメラ、ＡＰＳカメラ、ビデオ一体型カメラ等、著しく小型化が進んでいるが、さらに、携帯性を考えると、さらなる小型化、薄型化も重要な要素となっている。また、ほとんどが撮影倍率を可変可能な撮影光学系を有し、さらにいろいろな多機能化に進む傾向にあり、それらを操作、操作制御するためのボタン類も増加していく傾向にある。
【０００３】
図６に従来のデジタルカメラの一例を示す。１０１はカメラ本体、１０２はシャッターボタン、１０３、１０４はズームボタン、１０５は液晶モニタ、１０６〜１１３は各種操作ボタンを示す。
【０００４】
また、図７には、前記従来例をホールドしたところの図を示す。
【０００５】
さらに、図８〜１１にカメラの操作ボタン部の構造を示す。
【０００６】
図８は、操作部の構造を示す断面図である。保持部材１１４部にプリント基板１１５が固定されており、このプリント基板１１５には数μｍ厚の銅箔で構成されたパターン１１６ａ，１１６ｂが貼付けられている。また、プリント基板１１５の上にはシリコンゴムで形成されたスイッチ１１７が重ねられており、その一部分に電流が流れる導電部材１１８が固着されている。そして、スイッチ１１７の上に該スイッチ１１７を押すためのトリガーボタン１３１が位置しており、保持部材１１４の裏カバー１１４ｂからプリント基板１１５、導電部材１１８及びトリガーボタン１３１が外れないようにサンドウィッチされている。
【０００７】
ここで、図８に示すように、通常はパターン１１６ａ，１１６ｂは互いに接触しておらず、したがって電流が流れない状態にある。この状態でトリガーボタン１３１を押すと、スイッチ１１７に押した力が伝わり、スイッチ１１７が弾性変形する。そのため、スイッチ１１７に固着されている導電部材１１８がパターン１１６ａ，１１６ｂと接触し、この２つのパターンに電流が流れる状態となる。
【０００８】
図９は他の操作ボタン部の構造を示す断面図である。シャッターボタン１１９は上カバーに設けられており、シャッタースプリング１２１によって付勢されている。このシャッターボタン１１９を押し込むと、その先端部１１９ａが最初のスイッチ接片を押す。カメラに内蔵されているマイコンは、そのスイッチ接片１２２とＧＮＤ接片１２３が接触すると、ＡＦやＡＥの確定を行うスイッチ信号が入力されたと認識する。その後、更にシャッターボタン１１９が押されてＧＮＤ接片１２３と次のスイッチ接片１２４が接触すると、露光開始であるスイッチ信号がマイコンに入力されたと認識する。１２５はスイッチ接片１２２とＧＮＤ接片１２３とスイッチ接片１２４の間の座であり、ショートを防止している。
【０００９】
図１０はズーム操作部の構造を示す断面図である。ズームレバー１２６は上カバー１２７に設けられており、その回転軸１２６ｂが上カバー１２７に回転可能な状態で保持されている。また、トーションスプリング１２８がズームレバー１２６のストッパ１２６ａにより、該トーションスプリング１２８の開き方向に付勢された形でズームレバー１２６に取り付けられており、上カバー１２７のストッパ１２７ａに対しても開き方向に付勢された状態になっている。そして、ズームレバー１２６が回転軸１２６ｂに対して反時計回りに回転すると、ズームレバー１２６の突起部１２６ｃがＧＮＤ接片１２９を押し、ワイド側のスイッチ接片１３０と接触する。この時、モードマイコンに撮影光学系（ズームレンズ）をワイド側に移動させる信号が入力され、撮影光学系がワイド側に移動される。また、ズームレバー１２６が時計回りに回転すると、撮影光学系はテレ側に移動される。１３５はワイド側のスイッチ接片１３０、ＧＮＤ接片１２９、もしくはテレ側のスイッチ接片１３４、ＧＮＤ接片１２９との座であり、ショートを防止している。
【００１０】
次に図１１にシーソー式のズームレバーを用いた操作ボタン部の構造を示す。シーソー式ズームレバー１３６は、軸受１３７に支持されたヒンジ軸１３８を中心に図１１の上下方向に回動可能となっており、その操作方法は前述の従来例と同様である。
【特許文献１】特開平５−３１３２２５号公報
【特許文献２】特開平８−３１７２６５号公報
【特許文献３】特開平５−３１３２２５号公報
【発明の開示】
【発明が解決しようとする課題】
【００１１】
しかしながら、図６、図７に示すように、このように小型化薄型化多機能化が進んでいるカメラだが、ホールディングの形態に対して、その小ささ、薄さに起因する弊害要素も出てきている。
【００１２】
すなわち、前述、図８〜１１のシャッターボタン、ズームレバーを組み合わせてレイアウト配置する訳であるが、カメラの小型化に伴い、シャッターボタン、ズームレバーの配置が制限されるために、カメラ本体側面とシャッターボタン、ズームボタンまでに適切な距離が得られず、操作性に問題を生じていた。
【００１３】
また、前述従来例のシャッターボタン、ズームボタンを有するカメラに多くの機能を備えるためには、さらにそれだけ多くのスイッチ及びスイッチ部材が必要となり、カメラ本体の設計・レイアウトに制約があり、さらに、スイッチの配線をしているプリント基板の配線パターンを複雑にし、その引き回しも難しくなるという欠点を生じていた。
【００１４】
以上より、本発明は、前述従来例のシャッターボタンを有するカメラの欠点を除去し、小型多機能化のカメラにおいて、スイッチ部材を減らし、レイアウトの自由度を高めたカメラを提供し、操作性を向上させたカメラを提供することを目的とする。
【課題を解決するための手段】
【００１５】
このため、本発明においては、下記に示すカメラを提供することにより、前記目的を達成しようとするものである。
【００１６】
デジタルカメラ、ＡＰＳカメラ、３５ｍｍカメラ、ビデオカメラ等において、撮影倍率を可変可能な撮影光学系を有し、前記撮影光学系の倍率を調整するためのズーム操作部材（ズームボタン）と、前記カメラ部の撮影開始（または停止）させるための部材（シャッターボタン）を有し、それぞれが一体、兼用とするために、カメラ本体上面、あるいは背面、あるいはその他の面に取り付けられたスライド移動するズーム操作部材内に撮影開始（または停止）させるための部材を有する事を特徴とする。また、前記一体型ボタンにおいて、倍率調整時は、シャッター動作開始を電気的、もしくは機構的に出来ないように制御することを特徴とする。
【００１７】
なお、さらに詳細に説明すれば、本発明は下記の構成によって前記課題を解決できた。
【００１８】
（１）デジタルカメラ、ＡＰＳカメラ、３５ｍｍカメラ、ビデオカメラ等において、撮影倍率を可変可能な撮影光学系を有し、前記撮影光学系の倍率を調整するためのズーム操作部材（ズームボタン）と、前記カメラ部の撮影開始（または停止）させるための部材（シャッターボタン）を有し、それぞれが一体となっていて、兼用されていることを特徴とするカメラ。
【００１９】
（２）カメラ本体上面、あるいは背面、あるいはその他の面に取り付けられたスライド移動するズーム操作部材を有し、その操作部材内に撮影開始（または停止）させるための部材を有する事を特徴とする前記（１）記載のカメラ。
【００２０】
（３）カメラ本体上面、あるいは背面、あるいはその他の面に取り付けられ、軸を中心に回転可能に移動するズーム操作部材を有し、その操作部材内に撮影開始（または停止）させるための部材を有する事を特徴とする前記（１）記載のカメラ。
【００２１】
（４）カメラ本体上面、あるいは背面、あるいはその他の面に取り付けられた上下方向にシーソー運動可能に回動するズーム操作部材を有し、その操作部材内に撮影開始（または停止）させるための部材を有する事を特徴とする前記（１）記載のカメラ。
【００２２】
（５）前記一体型ボタンにおいて、倍率調整時は、シャッター動作開始を出来ないように制御することを特徴とする前記（１）記載のカメラ。
【００２３】
［作用］
以上のような本発明構成によるカメラにおいて；
カメラのシャッターボタン、ズームボタンを一体／共有化することにより、スイッチ操作部材の点数を減らし、プリント基板の配線パターンや引き回しを簡単化できる効果がある。また、これによりレイアウトの自由度を高めたカメラを提供し、操作性を向上させたカメラを提供することと、カメラの小型化を可能とする。
【発明の効果】
【００２４】
本発明によれば、下記の諸効果を有する；
カメラのシャッターボタン、ズームボタンを一体／共有化することにより、スイッチ操作部材の点数を減らし、プリント基板の配線パターンや引き回しを簡単化できる効果がある。また、これによりカメラの小型化を可能とする。
【発明を実施するための最良の形態】
【００２５】
以下本発明を実施するための最良の形態を、実施例により詳しく説明する。
【実施例】
【００２６】
以下、本発明の実施例を図に基づいて説明する。
【００２７】
図１は、本発明の一実施例を示すシャッターボタン、ズームボタンを表した概略図である。
【００２８】
シャッターボタン１は、ズームボタン２に、嵌合しており、バネ３で、図中矢印Ａ方向へ付勢されているが、１ａストッパ部で抜けなくなっている。さらに、ズームボタン２は、ストッパ部２ａでカバー４へ、図中矢印Ｂ方向へ動作可能に嵌合されている。また、ズームボタン２には、指の滑り止め２ｂが付いている。基板５上に、ＳＷ６、ＳＷ７が実装されており、ＳＷ６は、望遠側へレンズを駆動するトリガーＳＷとなっており、また、ＳＷ７はワイド側へレンズを駆動するトリガーＳＷとなっている。また、トーションバネ８が、本体（図示せず）と、ズームボタンのバネ引っ掛け部２ｃ、２ｄに接合されており、ズームボタン２をニュートラルへ配置、付勢している。さらに、ズームボタン２には、ＳＷ６、７のけ飛ばし部２ｅ、２ｆが付いている。
【００２９】
今、ズームボタン２を、図中矢印Ｂ方向Ｔ（望遠）側へ移動させたとすると、ＳＷけ飛ばし部２ｅがＳＷ６をオンとし、電気信号がマイコンへ、レンズの望遠側への駆動を命令する。レンズの希望の画角を得ることが出来、ズームボタン２のＴ側への移動を解除すると、バネ８により、ズームボタン２は、ニュートラル状態へ動作、戻される。この状態で、シャッターボタン１を押すことにより、突起部１ａが、ＳＷ接片９を押し、ＧＮＤ接片１０と接触する。カメラに内蔵されているマイコンは、そのＳＷ接片９とＧＮＤ接片１０が接触すると、ＡＦやＡＥの確定を行うスイッチ信号が入力されたと認識する。その後、更にシャッターボタン１が押されてＧＮＤ接片１０と次のスイッチ接片１１が接触すると、露光開始であるスイッチ信号がマイコンに入力されたと認識する。１２はスイッチ接片９とＧＮＤ接片１０とスイッチ接片１１の間の座であり、ショートを防止している。
【００３０】
さらに、マイコンに撮影光学系（ズームレンズ）を望遠側、あるいはワイド側に移動させる信号が入力されている時には、シャッターボタン１を押しても、シャッターボタン１を動作させないようなソフトウエアが可能である。
【００３１】
次に図２に第二の実施例を示す。
【００３２】
シャッターボタン２１は、ズームボタン２２の回転軸２０に、図中矢印Ａ方向へ移動動作可能に嵌合されている。さらに、バネ２４により、逆Ａ方向へ付勢されている。また、シャッターボタン２１、ズームボタン２２は、回転軸２０を回転中心に図中矢印Ｂ方向へ回転可能に取り付けられている。トーションバネ２５は、ズームボタン２２の突起部２２ａ、２２ｂに取り付け、さらにバネ２５のそれぞれの先端は、本体２３のバネかけ部２３ａ、２３ｂに当接している。これにより、ズームボタン２２は図のようにニュートラルな状態を保っている。
【００３３】
今、ズームボタン２２を、図中Ｂ方向、望遠側（Ｔ）へ回転させるとする。突起部２１ａは、ＳＷ接片２６を押し、ＧＮＤ接片２７と接触する状態になる。これにより、カメラのマイコン部へレンズを望遠側へ駆動するよう、電気信号が発生する。その状態で、望遠側へズームボタン２２の駆動を中止すると、ズームボタン２２は図のようなニュートラル状態に戻る。この時にシャッターボタン２１を押すことにより、第１の実施例で前述したように、ＡＦやＡＥの確定、露光開始を行う。
【００３４】
次に図３に第３の実施例を示す。シャッターボタン３１は、ホルダ３２に取り付けられ、ズームボタン３３は、ホルダ３２の軸受け部３２ａに、軸部３３ａで動作可能に勘合されている。その他シーソー部、ゴムスイッチ部は前述した従来例と同等である。ここで、シャッターボタン３１は、ホルダ３２に抜け止め部３１ａ、バネ３４で付勢されて図のような状態で配置されている。図中矢印Ｔ、Ｗ方向へズームボタン３３を押すことにより、それぞれ、レンズが望遠、ワイドへ駆動される。また、シャッターボタン３１を押すことにより、前述した実施例で示したように、ＡＦやＡＥの確定、露光開始を行う。
【００３５】
次に図４に前記実施例を実際のデジタルカメラに配置した例を示す。４１、または４１′に、実施例の一体化されたシャッターボタン／ズームボタンが配置されている。さらに図５に、それぞれの配置のシャッターボタン／ズームボタンのカメラを握った図を示す。例えば、４１の位置であれば右手の人差し指一本でズームボタン、シャッターボタンを操作でき、４１′の位置であれば右手の親指一本でズームボタン、シャッターボタンを操作できる。
【図面の簡単な説明】
【００３６】
【図１】第一の実施例のボタンの断面図
【図２】第二の実施例のボタンの断面図
【図３】第三の実施例のボタンの断面図
【図４】実施例のボタンを配置したカメラを示す斜視図
【図５】実施例のカメラを握ったところを示す斜視図
【図６】従来例カメラのボタン配置を示す斜視図
【図７】従来例のカメラの握ったところを示す斜視図
【図８】従来例のボタンの断面図
【図９】従来例のボタンの断面図
【図１０】従来例のボタンの断面図
【図１１】従来例のボタンの断面図
【符号の説明】
【００３７】
１  シャッターボタン
２  ズームボタン
３  バネ
４  本体
５  基板
６  ＳＷ
７  ＳＷ
８  バネ
９  接片
１０  接片
１１  接片
１２  絶縁ガイド
【図１】
2005227326.tif 000003
【図２】
2005227326.tif 000004
【図３】
2005227326.tif 000005
【図４】
2005227326.tif 000006
【図５】
2005227326.tif 000007
【図６】
2005227326.tif 000008
【図７】
2005227326.tif 000009
【図８】
2005227326.tif 000010
【図９】
2005227326.tif 000011
【図１０】
2005227326.tif 000012
【図１１】
2005227326.tif 000013